【手続補正書】
【提出日】平成23年4月8日(2011.4.8)
【手続補正１】
【補正対象書類名】明細書
【補正対象項目名】００８６
【補正方法】変更
【補正の内容】
【００８６】
本発明の範囲及び原則から逸脱することなく、当業者には種々の修正及び代替が明らかであり、本発明は以上に記載した例示の実施形態に過度に制限されるものではないと理解されるべきである。
以下に、本願発明に関連する発明の実施の形態を列挙する。
実施形態１
架橋されたアクリル感圧性接着剤と；
有機可溶性かつ解離性塩と；
非親水性可塑剤と；を含む、光学的に透明なディスプレー等級の接着剤であって、
該接着剤が静電的に散逸性であり、可視光線に対する透過率が少なくとも８０％であり、曇り度が約１０％未満である接着剤。
実施形態２
接着促進添加剤を更に含む、実施形態１に記載の接着剤。
実施形態３
前記接着促進添加剤がシラン及びチタン酸塩から選択される、実施形態２に記載の接着剤。
実施形態４
前記アクリル感圧性接着剤が、１種又はそれ以上のアクリル又は（メタ）アクリル酸エステルモノマー及び所望によりコモノマーの反応生成物を含む、実施形態１に記載の接着剤。
実施形態５
前記アクリル感圧性接着剤が、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、イソノニル（メタ）アクリレート及び２−エチルブチル（メタ）アクリレートから選択される、１種又はそれ以上のモノマーの反応生成物を含む、実施形態１に記載の接着剤。
実施形態６
前記塩がアルカリ金属カチオン及び有機アニオンを含む、実施形態１に記載の接着剤。
実施形態７
前記塩が有機カチオン及び有機アニオンを含む、実施形態１に記載の接着剤。
実施形態８
前記塩が、接着剤に約１０11オーム／スクエア未満の表面抵抗率を提供するのに有効な量、及び／又は接着剤に約１０11オーム−ｃｍ未満のバルク抵抗率を提供するのに有効な量で提供される、実施形態１に記載の接着剤。
実施形態９
前記塩が、前記アクリル感圧性接着剤の重量に基づいて、約０．５〜約５重量％の量で提供される、実施形態１に記載の接着剤。
実施形態１０
前記塩及び可塑剤が、それぞれ１０11オーム／スクエア未満の接着剤の表面抵抗率及び１０11オーム−ｃｍ未満のバルク抵抗率の両方を提供するのに有効な量で提供される、実施形態１に記載の接着剤。
実施形態１１
前記塩が、強ブレンステッド酸のアニオン又はスルホン酸、スルホンアミド及びスルホンイミドから選択されるアニオンを含む、実施形態１に記載の接着剤。
実施形態１２
前記塩が、メチド及びホウ酸から選択されるアニオン成分を含む、実施形態１に記載の接着剤。
実施形態１３
前記塩が、周期表の族ＩＶｂ〜ＶＩＩｂ、族Ｖｂ〜ＶＩｂ、アンモニウム、ホスホニウム、スルホニウム、リチウム、ナトリウム及びカリウムからのオニウムカチオンから選択されるカチオンを含む、実施形態１に記載の接着剤。
実施形態１４
前記塩が非親水性化合物を含む、実施形態１に記載の接着剤。
実施形態１５
前記塩が表面活性ではないアニオン及びカチオンを含む、実施形態１に記載の接着剤。
実施形態１６
偏光器フィルムに接着している前記接着剤が、少なくとも約２２℃の温度及び相対湿度約５０％で少なくとも約７日間表面と接触させた後、ガラス表面から取り外し可能である、実施形態１に記載の接着剤。
実施形態１７
前記塩が無機イオンを含み、前記可塑剤が１種又はそれ以上の非親水性可塑剤から本質的に成る、実施形態１に記載の接着剤。
実施形態１８
前記可塑剤が、有効量、所望により１００ｐｂｗのアクリル接着剤に基づいて、０．０１〜約１０重量部（ｐｂｗ）で提供される、実施形態１に記載の接着剤。
実施形態１９
前記可塑剤が、リン酸エステル、アジピン酸エステル、クエン酸エステル、フタル酸エステル、及びこれらの組み合わせを含む、アクリル可溶性可塑剤から選択される、実施形態１に記載の接着剤。
実施形態２０
前記塩が、テトラアルキルアンモニウムビス−（ペルフルオロアルカンスルホニル）イミド及びテトラアルキルアンモニウムペルフルオロアルカンスルホネートから選択される、実施形態１に記載の接着剤。
実施形態２１
前記接着剤が偏光フィルムに対して実質的に不活性である、実施形態１に記載の接着剤。
実施形態２２
架橋されたアクリル感圧性接着剤と；
有機可溶性かつ解離性塩と；から本質的に成る、光学的に透明なディスプレー等級の接着剤であって、
該塩がアルカリ金属カチオン及び有機アニオンを含む、接着剤。
実施形態２３
架橋されたアクリル感圧性接着剤と；
有機可溶性かつ解離性塩と；
接着促進添加剤と；から本質的に成る、光学的に透明なディスプレー等級の接着剤であって、
該塩がアルカリ金属カチオン及び有機アニオンを含む、接着剤。
実施形態２４
実施形態１、２２又は２３に記載の接着剤を含む多層偏光器であって、所望により前記接着剤が偏光フィルムの両面上に提供される、多層偏光器。
実施形態２５
実施形態１、２２又は２３に記載の接着剤を含む多層偏光器であって、前記偏光器が、防眩層、保護層、反射層、位相遅延層、広角補償層、及び輝度強化層から選択される１層又はそれ以上の層を更に含む、多層偏光器。
実施形態２
実施形態１６、２２又は２３に記載の接着剤を含む液晶ディスプレー；偏光器；及び液晶セルであって、所望により前記接着剤が液晶セルの両面上に提供される、液晶セル。
実施形態２７
少なくとも１種のアクリルモノマー及び所望により少なくとも１種のコモノマー及び所望により光開始剤を提供する工程と；
１種又はそれ以上のモノマーを有機可溶性解離逸性塩及び架橋剤とブレンドして、接着剤前駆体組成物を形成する工程と；
第１剥離ライナ上に該接着剤前駆体組成物を提供する工程と；
前記架橋剤を活性化して、架橋されたアクリル感圧性接着剤を形成する工程と；を含む、光学的に透明なディスプレー等級の接着剤を製造する方法であって、
前記接着剤が静電的に散逸性であり、所望により前記接着剤が可視光線に対する透過率約８０％及び曇り度約１０％未満を有する、方法。
実施形態２８
非親水性可塑剤を提供する工程と、前記可塑剤を１種又はそれ以上のモノマー、塩及び／又は接着剤前駆体組成物とブレンドする工程とを更に含む、実施形態２７に記載の方法。
実施形態２９
第２剥離ライナを第１剥離ライナに対向する接着剤の表面上に積層する工程を更に含み、所望により、前記第１及び／又は第２剥離ライナが静電的に散逸性である、実施形態２７に記載の方法。
【手続補正２】
【補正対象書類名】特許請求の範囲
【補正対象項目名】全文
【補正方法】変更
【補正の内容】
【特許請求の範囲】
【請求項１】
架橋されたアクリル感圧性接着剤と；
有機可溶性かつ解離性塩と；
非親水性可塑剤と；を含む、光学的に透明なディスプレー等級の接着剤であって、
該接着剤が静電的に散逸性であり、可視光線に対する透過率が少なくとも８０％であり、曇り度が１０％未満である接着剤。
【請求項２】
シラン及びチタン酸塩から選択される接着促進添加剤を更に含む、請求項１に記載の接着剤。
【請求項３】
前記アクリル感圧性接着剤が、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、イソノニル（メタ）アクリレート及び２−エチルブチル（メタ）アクリレートから選択される、１種又はそれ以上のモノマーの反応生成物を含む、請求項１に記載の接着剤。
【請求項４】
前記塩がアルカリ金属カチオン及び有機アニオンを含む、請求項１に記載の接着剤。
【請求項５】
前記塩が有機カチオン及び有機アニオンを含む、請求項１に記載の接着剤。
【請求項６】
前記塩が、前記アクリル感圧性接着剤の重量に基づいて、０．５〜５重量％の量で提供される、請求項１に記載の接着剤。
【請求項７】
前記塩が、強ブレンステッド酸のアニオン又はスルホン酸、スルホンアミド及びスルホンイミドから選択されるアニオンを含む、請求項１に記載の接着剤。
【請求項８】
前記塩が、メチド及びホウ酸塩から選択されるアニオン成分と、周期表の族ＩＶｂ〜ＶＩＩｂ、族Ｖｂ〜ＶＩｂ、アンモニウム、ホスホニウム、スルホニウム、リチウム、ナトリウム及びカリウムからのオニウムカチオンから選択されるカチオンを含む、請求項１に記載の接着剤。
【請求項９】
前記塩が無機イオンを含み、前記可塑剤が１種又はそれ以上の非親水性可塑剤から成る、請求項１に記載の接着剤。
【請求項１０】
前記可塑剤が、１００ｐｂｗのアクリル接着剤に基づいて、０．０１〜１０重量部（ｐｂｗ）で提供される、請求項１に記載の接着剤。
【請求項１１】
前記可塑剤が、リン酸エステル、アジピン酸エステル、クエン酸エステル、フタル酸エステル、及びこれらの組み合わせを含む、アクリル可溶性可塑剤から選択される、請求項１に記載の接着剤。
【請求項１２】
前記塩が、テトラアルキルアンモニウムビス−（ペルフルオロアルカンスルホニル）イミド及びテトラアルキルアンモニウムペルフルオロアルカンスルホネートから選択される、請求項１に記載の接着剤。
【請求項１３】
架橋されたアクリル感圧性接着剤と；
有機可溶性かつ解離性塩と；から成る、光学的に透明なディスプレー等級の接着剤であって、
該塩がアルカリ金属カチオン及び有機アニオンを含む、接着剤。
【請求項１４】
請求項１又は１３に記載の接着剤を含む多層偏光器であって、前記接着剤が偏光フィルムの少なくとも一面上に提供される、多層偏光器。
【請求項１５】
請求項１４に記載の接着剤を含む多層偏光器であって、前記偏光器が、防眩層、保護層、反射層、位相遅延層、広角補償層、及び輝度強化層から選択される１層又はそれ以上の層を更に含む、多層偏光器。
【請求項１６】
請求項１又は１３に記載の接着剤を含む液晶ディスプレー；偏光器；及び液晶セルであって、前記接着剤が液晶セルの少なくとも一面上に提供される、液晶セル。